Podtech/llm-jp-corpus-v4-ja_patent huggingface dataset:
(57)【要約】      （修正有）【課題】浮屋根式貯槽の消火剤を直接シール部に注入されるウエザーフードを提供する。【解決手段】消火剤落下部分のウエザーフード１に消火剤ホッパー２を設ける，このウエザーフードは浮屋根に支点を備えホッパー内に消火剤が流入して重さが加われば支点を中心として回転しウエザーフードの先端が槽内面３より離れて、その後の消火剤は浮屋根シール部に直接流入し、消火効果を発揮する【選択図】図１
2014050616.tif 000002
【特許請求の範囲】
【請求項１】
浮屋根式貯槽の浮屋根外周と槽内壁とのシール部の消火剤落下注入部分のウエザーフードに消火剤ホッパーを備える、初期消火剤がこのホッパーに入りその重さでウエザーフードが支点を中心として回転して  ウエザーフードの先端が槽内壁より離れて消火剤は浮屋根シール部に直接流入し効果的に消火機能を果たすウエザーフードの構造。
【発明の詳細な説明】
【技術分野】
【０００１】
本発明は浮屋根式油槽の消火装置に関するものである。
【背景技術】
【０００２】
従来の浮屋根式油槽の消火装置では消火剤を大量投入して浮屋根のシールに消火剤が入り消火効果が発揮される    消火効率の向上改善が求められている。
【発明の概要】
【発明が解決しようとする課題】
【０００３】
解決しようとする問題点は、消火剤をウエザーフードに遮られることなくシール部に直接注入する方法の確立である。
【課題を解決するための手段】
【０００４】
消火剤落下部分のウエザーフードに消火剤ホッパーを設ける。これにより初期消火剤がこのホッパーに入りこの重さでウエザーフードが支点を中心として回転して
ウエザーフードの先端が槽内壁より離れて消火剤はシール部に直接流入して問題点が解決される。
【発明の効果】
【０００５】
本発明の設備をすることにより消火剤が直接シール部に流入して消火効果を発揮すいる。  消火作業は初期消火が重要で、これに失敗すると消火不能となり貯層内の可燃物が燃え尽きるのを待つのが実状で初期消火が全てを決定する、この設備により初期消火の確率が大いに高くなる。
【図面の簡単な説明】
【０００６】
【図１】（Fig 1）本発明を実施したウエザーフードの平常時の側面図
【図１】（Fig 2）本発明を実施ししたウエザーフードの作動時の側面図
【図１】（Fig 3）本発明を実施したウエザーフードの平面図
【図２】（Fig 4）浮屋根の各種シール機構    （参考）
【図２】（Fig 5）消火装置エアフォームチャンバー  （参考）
【図３】（Fig 6）浮屋根式油槽の構造と付属品の一例  （参考）
【発明を実施するための形態】
【０００７】
従来の浮屋根式貯層の火災に際して消火剤は貯槽上部の泡発生器（エアフォームチャンバー）を通つて槽内壁に添って落下  槽内壁と浮屋根上のフォームダムの間に溜まり消火剤の液面が上昇して  ウエザーフードを覆う量になって消火効果が発揮される、この時に至る迄大量の消火剤と相当の時間を必要とする。
本発明は消火剤落下部分のウエザーフードに消火剤ホッパーを設ける，このウエザーフードは浮屋根に支点を備えホッパー内に消火剤が流入して重さが加われば支点を中心として回転しウエザーフードの先端が槽内面より離れて、その後の消火剤は浮屋根シール部に直接流入し、消火効果を発揮する
【図１】
2014050616.tif 000003
【図２】
2014050616.tif 000004
【図３】
2014050616.tif 000005
(57)【要約】【課題】今までは，餌用網袋に，一投毎に撒き餌をスプーン・箸等で詰めていた。【解決手段】Ｖ字型の切り込みを有する本体１に，網袋を乗せるスペース２を有し，網袋を固定する突起３を有し，バケツに取り付ける差し込み部分５，５を有することを特徴とする撒き餌網袋受け台である。詰めたものが用意されているので，一連の手作業が不要となる。撒き餌が海流で流れるが，連続して次の撒き餌が入るので，集めた魚が散らない。その為，効率よく釣果が望める。【選択図】図１
2014050331.tif 000002
【特許請求の範囲】
【請求項１】
Ｖ字型の切り込みを有する本体（１）に，網袋を乗せるスペース（２）を有し，網袋を固定する突起（３）を有し，バケツに取り付ける差し込み部分（５），（５）を有することを特徴とする撒き餌網袋受け台。
【発明の詳細な説明】
【技術分野】
【０００１】
本発明は，海釣りの撒き餌の網袋を受ける，撒き餌網袋受け台に関するものである。
【背景技術】
【０００２】
従来、撒き餌は，水中で解凍した撒き餌を専用の網袋に詰めて，海中に投入し，魚を集めていた（特許文献１）。
【先行技術文献】
【特許文献】
【０００３】
【特許文献１】特開２００１−２２４２９１号公報
【発明の概要】
【発明が解決しようとする課題】
【０００４】
しかしながら、冷凍された撒き餌は，釣り場でバケツの中に海水を入れて解凍する。解凍しない冷凍の撒き餌は，水に浮いてしまい撒き餌の用をなさない。従って解凍する。今までは，餌用網袋に，一投毎にスプーン・箸等で詰めていた。本発明が解決しようとする課題は，これらを解決する撒き餌網袋受け台を提供することにある。
【課題を解決するための手段】
【０００５】
本発明は，Ｖ字型の切り込みを有する本体（１）に，網袋を乗せるスペース（２）を有し，網袋を固定する突起（３）を有し，バケツに取り付ける差し込み部分（５），（５）を有することを特徴とする撒き餌網袋受け台を提供する。
【発明の効果】
【０００６】
本発明は，一投毎に，網袋に解凍した撒き餌をスプーン・箸等で詰めていたが，事前に詰めたものが用意されているので，一連の手作業が不要となる効果がある。
また，撒き餌が海流で流れるが，連続して次の撒き餌が入るので，集めた魚が散らない。その為，効率よく釣果が望めるという効果がある。
海中では，一説によると音が地上の５０倍で伝わるそうです。大物を釣る為には，最初に小物に撒き餌を食わせる。その歯の音が海中を伝わって行き，遠くにいる大物に聞こえる。それを聞いた大物は，あそこへ行けば餌があると自分も寄ってくる。魚の習性である。撒き餌の効果である。
本発明が成功した暁には，収益の半分は小児ガンの会へ寄付されます。
【図面の簡単な説明】
【０００７】
【図１】本発明の本体に網袋を乗せた前方からの斜視図である。
【図２】本発明の本体の横からの断面図である。
【図３】網袋クリップの斜視図である。
【図４】本発明をバケツにセットした実施図である。
【図５】バケツに撒き餌を用意した上面図である。
【図６】魚を釣っている図である。
【発明を実施するための形態】
【０００８】
Ｖ字型の切り込みにより，大・中・小の網袋に対応できるので，適用範囲が広い。
事前に複数個用意されているので，手が汚れない。手が汚れるのは，最初の用意する一度だけ。従って，手を洗うのも最初の一度だけで済む。
撒き餌が効いているうちに，次の撒き餌が入るので効果大。撒き餌は，網袋から少しずつ海中に流れ出る。
交換はワンタッチ着脱クリップで簡単にできる。
【符号の説明】
【０００９】
１  本体
２  網袋を乗せるスペース
３  網袋を固定する突起
４  網袋
５  バケツに取り付ける差し込み部分
６  本体の横からの断面図
７  ワンタッチ着脱クリップ
８  バケツ
９  海水
１０  水中で解凍した撒き餌
１１  本体に網袋
１２  竿
１３  海
１４  魚  
１５  釣り糸
【図１】
2014050331.tif 000003
【図２】
2014050331.tif 000004
【図３】
2014050331.tif 000005
【図４】
2014050331.tif 000006
【図５】
2014050331.tif 000007
【図６】
2014050331.tif 000008
(57)【要約】【課題】人体及び農作物への安全性を維持しつつ、害獣に対する忌避効果が高く、さらに取扱いが容易な害獣用忌避剤を提供する。【解決手段】吸水ポリマー、ハッカ油、カプサイシン、ヒトデの粉末からなり、これを害獣の侵入を防止すべき領域に散布することにより、イノシシ等の害獣の侵入を防止できる害獣用忌避剤。【選択図】なし【特許請求の範囲】
【請求項１】
吸水ポリマーに猪や害獣の忌避する成分を染み込ませたことを特徴とする害獣忌避剤。
【請求項２】
請求項１記載の忌避する成分とはハッカ油、カプサイシン、ヒトデの粉末等からなる害獣忌避剤。
【発明の詳細な説明】
【技術分野】
【０００１】本発明は、吸水ポリマー、ハッカ油、カプサイシン、ヒトデの粉末等を主成分とする害獣、害鳥等の忌避剤に関するものである。
【背景技術】
【０００２】近年、猪に田畑を荒らされる害が全国的に拡大している。
侵入防止柵等を設置することである一定の効果はあったが、猪は頭がよい為、簡単に突破されてしまうケースが少なくなかった。
【発明が解決しようとする課題】
【０００３】そこで本発明は猪を物理的に侵入させないのではなく、猪の嫌う成分によって侵入を防止し、安全かつ効果的な害獣忌避剤を提供することを課題とする。
【課題を解決するための手段】
【０００４】請求項１記載の本発明を猪を侵入させたくない場所に散布し、散水または自然に吸湿させることによって長期的に効果を発揮する。
【発明の効果】
【０００５】従来あった物理的に猪の侵入を防止すると違い、猪の嫌う成分を使用することにより学習させ、近寄らないようにする。
【発明を実施するための形態】
【０００６】吸水ポリマーにハッカ油、カプサイシン、ヒトデの粉末を吸収させることで忌避剤となる。
【０００７】本発明は吸水ポリマー１００重量部に対しハッカ油、カプサイシン、ヒトデの粉末の含有量は５重量部から２０重量部とするのが好ましい。
【実施例】
【０００７】本発明を猪を侵入させたくない領域を囲うように約１ｍから２ｍ幅で散布し、散水又は自然の湿気によってポリマーに水分を含ませ忌避効果を長期的に発揮する。
(57)【要約】【課題】  本発明の犬猫等の手足を保護する保護具は、犬猫等の飼養動物の運動や盲導犬、介助犬、災害救助犬等が様々な場面で活動する際に手足の底が切傷、火傷等を負うことがないように保護すること。さらに、犬猫等の爪、狼爪等が人体、物等に危害を加えることのないよう安全を確保する保護具として、犬猫等の手足の指、爪、狼爪を傷つけることなく、犬猫等の手足に適合し、外れにくく、安全で簡単に使用することができる犬猫等の手足を保護する保護具を提供する。【解決手段】  本発明の犬猫等の手足を保護する保護具は、保護具（１）の先方を指固定部（２）とし、保護具（１）の後方を固定部（３）として、保護具（１）の両面にシート（５）を設け、シート（５）の犬猫等の手足の底と接する部分には粘着物（６）を施し、指固定部（２）と固定部（３）の端に犬猫等の手足に固定するための留め物（４）を設ける。さらに、犬猫等の手足に装着された保護具（１）の上から保護袋（７）を装着することで、手足の爪、狼爪を覆い保護する。【選択図】図１
2014050377.tif 000002
【特許請求の範囲】
【請求項１】
本発明の犬猫等の手足を保護する保護具は、保護具（１）の先方を指固定部（２）とし、保護具（１）の後方を固定部（３）として、保護具（１）の両面にシート（５）を設け、指固定部（２）と固定部（３）の端に犬猫等の手足に固定するための留め物（４）を設けた、犬猫等の手足を保護する保護具。
【請求項２】
シート（５）には、粘着物（６）を施すことで、犬猫等の手足の底とシート（５）が接着し、保護具（１）が外れにくく安定した状態で装着できる請求項１の犬猫等の手足を保護する保護具。
【請求項３】
犬猫等の手足に装着された保護具（１）の上から保護袋（７）を装着し、手足の爪、狼爪を覆い保護することができる請求項１の犬猫等の手足を保護する保護具。
【発明の詳細な説明】
【技術分野】
【０００１】  本発明は、犬猫等の手足の保護と犬猫等の爪等が人体や物等に危害を加えないよう犬猫等の爪等を保護する保護具に関するものである。
【背景技術】
【０００２】  従来、犬猫等の手足を保護するものは、犬用靴等がある。
【発明の概要】
【発明が解決しようとする課題】
【０００３】  従来の犬用靴等は、使用する際に犬猫等の指、爪、狼爪を傷つける危険性が高く、犬猫等の運動時の手足、指の動きに対応することができずに簡単に外れることが多く、犬猫等の特有の骨格、形態に則したものがなかった。【０００４】  犬猫等の飼養動物の運動や盲導犬、介助犬、災害救救助犬が様々な場面で活動する際に犬猫等の手足の底が切傷、火傷等を負うことがないように保護すること。さらに、犬猫等の爪、狼爪等が人体、物等に危害を加えることのないよう、安全で簡単に使用できる犬猫等の手足の保護具はなかった。
本発明は、以上のような欠点をなくすために発明されたものである。
【課題を解決するための手段】
【０００５】  本発明の犬猫等の手足を保護する保護具は、保護具（１）の先方を指固定部（２）とし、保護具（１）の後方を固定部（３）として、保護具（１）の両面にシート（５）を設け、シート（５）の犬猫等の手足の底と接する部分には粘着物（６）を施し、指固定部（２）と固定部（３）の端に犬猫等の手足に固定するための留め物（４）を設ける。さらに、犬猫等の手足に装着された保護具（１）の上から保護袋（７）を装着することで、手足の爪、狼爪を覆い保護することができる。
以上の構成よりなる犬猫等の手足を保護する保護具。
【発明の効果】
【０００６】  本発明により、犬猫等の手足の指、爪、狼爪を傷つけることなく、保護具が犬猫等の手足に適合し、簡単に外れない犬猫等の手足の保護具として使用することができる。【０００７】  犬猫等の手足の保護と犬猫等の爪等が人体や物等に危害を加えないよう安全を確保することができるため、犬猫等の飼養動物の日常的な手足の保護をはじめ、盲導犬、介助犬、災害救助犬等が様々な場面で活動する際の手足の保護具として、安全で簡単に使用することができる。
【図面の簡単な説明】
【０００８】
【図１】  本発明の保護具の使用状態を示した側面図である。
【図２】  本発明の保護具を犬猫等の手足に使用した状態を示した拡大図である。
【図３】  本発明の保護具の正面図である。
【図４】  本発明のシートの正面図である。
【図５】  本発明の保護具にシートを設けた状態を示した正面図である。
【図６】  本発明の保護具にシートを設け粘着物を施した状態を示した正面図である。
【図７】  本発明の保護具を犬猫等の手足に装着する状態を示した拡大図である。
【図８】  本発明の保護袋の斜視図である。
【図９】  本発明の保護袋の使用状態を示した正面図である。
【発明を実施するための最良の形態】
【０００９】  以下、本発明の実施形態を説明する。
保護具（１）の先方を指固定部（２）とし、保護具（１）の後方を固定部（３）として、保護具（１）の両面にシート（５）を設ける。保護具（１）は、綿、ポリエステル等の柔軟な素材が好ましい。【００１０】  シート（５）は、犬猫等の手足の底に接する部分に粘着物（６）両面粘着テープ等を施すことで、犬猫等の手足の底とシート（５）が接着した状態になり、簡単に装着ができて運動時にも外れにくくなる。また、シート（５）は、装着したときの運動時の体重移動がスムーズに行えるよう、図４に示すように分割するのが好ましい。【００１１】  指固定部（２）と固定部（３）の端には、犬猫等の手足を固定するための留め物（４）マジックテープ等を設ける。【００１２】  犬猫等の手足に装着された保護具（１）の上から保護袋（７）を装着することで、手足の爪、狼爪を覆い保護することができる。保護袋（７）の素材はポリエステル等で伸縮するものが好ましく、また、図８に示すように保護袋（７）の外側に滑り止め（８）が施されているため運動時にも安定するよう形成されている。
本発明は以上の構成よりなる。【００１３】  本発明を使用する場合は、図６に示す、シート（５）に粘着物（６）を施した状態から犬猫等の手足の底部分を粘着物（６）に押し当て、図７に示すように、固定部（３）を犬猫等の狼爪（１０）に当たらない位置に巻きつけて留め物（４）により固定し、指固定部（２）を指の上の位置に巻きつけて留め物（４）により固定すると図２に示す状態となり犬猫等の飼養動物の運動又は災害救助犬等の活動に支障なく手足の底を保護できる。【００１４】  また、爪等を保護する場合には、図２に示す状態の保護具の上から、保護袋（７）を犬猫等の手足の指の先端から狼爪（１０）まで覆うと、図９に示すように保護できる。
【符号の説明】
【００１５】１  保護具
２  指固定部
３  固定部
４  留め物
５  シート
６  粘着物
７  保護袋
８  滑り止め
９  爪
１０  狼爪
１１  犬猫等の手足
【図１】
2014050377.tif 000003
【図２】
2014050377.tif 000004
【図３】
2014050377.tif 000005
【図４】
2014050377.tif 000006
【図５】
2014050377.tif 000007
【図６】
2014050377.tif 000008
【図７】
2014050377.tif 000009
【図８】
2014050377.tif 000010
【図９】
2014050377.tif 000011
(57)【要約】【課題】灌漑農地の塩害化を極力防止するとともに、植物根の生育を促進するために灌漑地下深度を可変とするローコストの沈降管内浸み出し灌漑システムを提供することである。【課題を解決するための手段】給水タンク２からの少量の灌漑水は、フレキシブル導水管５から分岐した分岐注水管８外側の地中沈降導水管９内の導水糸束１０の毛管現象にて適量導水される。導水は地中沈降導水管９下端部に装着された円錐多孔管１１より地下層に浸み出し植物根に吸収される。植物根の生育を促進するために、地中沈降導水管９は植物の生育に応じて地中に適宜人力若しくは重力により沈降される。 【選択図】  図１
2014050383.tif 000002
【特許請求の範囲】
【請求項１】
灌漑農地の塩害化を防止する沈降管内浸み出し灌漑システム。
【発明の詳細な説明】
【技術分野】
【０００１】
本発明は、灌漑農地の塩害化を極力防止するとともに、植物生育を促進するために灌漑地下深度を可変とする沈降管内浸み出し灌漑に関するものである。
【背景技術】
【０００２】
灌漑農地の塩害化を防止するための灌漑法に関しては種々の地下灌漑法が提案されているが、何れも、塩害防止とハイコストの両面において未解決の状態である（例えば、特許文献１、２、３参照）。
【先行技術文献】
【特許文献】
【０００３】
【特許文献１】特許公開2012-7471
【特許文献２】特許公開2009-268410
【特許文献３】特許公開2010-29072
【発明の概要】
【発明が解決しようとする課題】
【０００４】
従来の地下灌漑法は、灌漑の地下深度は一定で、塩害防止が不十分であるばかりか、それらのシステムは重装系ゆえのハイコストである属性を有する（例えば、特許文献１、２、３参照）。
【０００５】
本発明は、塩害を極力抑え且つ植物根の生育を促進するための灌漑地下深度を可変とする軽装系ゆえのローコストの沈降管内浸み出し灌漑システムを提供するものである。
【課題を解決するための手段】
【０００６】
給水タンクからの灌漑水は、フレキシブル導水管から分岐した分岐注水管外側の地中沈降導水管内の導水糸束を経て適量導水される。
【０００７】
導水糸束下端部からの浸み出し水は地中沈降導水管下端部に接し、そこに装着された円錐多孔管より地中層に浸み出し植物根に吸収される。
【０００８】
植物根の生育を促進するために、地中沈降導水管は植物の生育に応じて地中に適宜人力若しくは重力により沈降される。
【発明の効果】
【０００９】
給水タンクからの少量の灌漑水は、フレキシブル導水管から分岐した分岐注水管外側の小径の地中沈降導水管内の導水糸束の毛管現象にて適量導水されるので、農地表面からの水分の蒸発量は極力抑えられる故、灌漑農地の塩害化は防止できる。
【００１０】
植物根の生育を促進するために、地中沈降導水管は植物の生育に応じて地中に適宜人力若しくは重力により沈降されることで、植物根が地下に伸びることから、従来の地下灌漑法に比べて植物の生育効率に優れる。
【００１１】
本灌漑システムは、総合的に軽装化しているのでローコストであること。
【図面の簡単な説明】
【００１２】
【図１】沈降管内浸み出し灌漑システムの概要
【発明を実施するための最良の形態】
【００１３】
図１は、沈降管内浸み出し灌漑システムの概要を示したものである。
給水タンク２からの少量の灌漑水は、フレキシブル導水管５を経て数メートル間隔の分岐注水管８の外側の地中沈降導水管９内の導水糸束１０の毛管現象により適量導水され、地中沈降導水管９下端部に装着された円錐多孔管１１から地中層に浸み出す。地中沈降導水管９は植物根の生育に応じて沈降用金具７を人力若しくは重力により地中に沈降することでその生育が促進される。
【符号の説明】
【００１４】
１    給水
２    給水タンク
３    ボールタップ
４    タンク架台
５    フレキシブル導水管
６    管継手
７    沈降用金具
８    分岐注水管
９    地中沈降導水管
１０  導水糸束
１１  円錐多孔管       
１２  農地表面
【図１】
2014050383.tif 000003
(57)【要約】【課題】蓋板を開ける際には蓋板の上部を指で手前に少し引き、その後は蓋板の自重によって手前から下方にほぼ１８０度揺動させる。すると蓋板は開ききった状態で前後に少し揺動することにある。その際、本体側のボスと蓋板との間で擦れが生じ、擦れ音が発生する。蓋板を開く度に擦れ音が発生すると、リモコン装置の高級感が損なわれるという不具合が生じる。【解決手段】本体側のボスに係合する円筒状の係合穴を上記蓋板に形成すると共に、係合穴の内周面に凸部を形成し、上記ボスの表面に対して凸部を接触させることにより、蓋板が開いた状態でボスに吊り下がった状態で前後に揺動した際に、ボスに対する係合部分で擦れ音が発生しないようにした。【選択図】  図３
2014050075.tif 000002
【特許請求の範囲】
【請求項１】
下方に開口する凹部を前面に設け、その凹部内に操作ボタン類を配設し、この操作ボタン類を隠す蓋板を、後部の下部の両内側面から内側に突出する円柱状のボスに対して上下方向に揺動自在に係合させたリモコン装置において、上記ボスに係合する円筒状の係合穴を上記蓋板に形成すると共に、係合穴の内周面に凸部を形成し、上記ボスの表面に対して凸部を接触させることにより、蓋板が開いた状態でボスに吊り下がった状態で前後に揺動した際に、ボスに対する係合部分で擦れ音が発生しないようにしたことを特徴とするリモコン装置。
【発明の詳細な説明】
【技術分野】
【０００１】
本発明は、給湯装置等の機器を遠隔操作するためのリモコン装置に関する。
【背景技術】
【０００２】
上述のリモコン装置には操作するための複数の操作ボタン類が前面に配列されている。但し、全ての操作ボタン類について常時操作する必要はなく、使用頻度の高い操作ボタン類と使用頻度の低い操作ボタン類とが混在する。そこで、使用頻度の高い操作ボタン類は操作しやすいように常にリモコン装置の前面に露出させておくが、使用頻度の低い操作ボタン類はリモコン装置の前面に凹部を形成してその凹部内に配列し、通常はその凹部を蓋板により閉鎖して外部から見えないようにしたものが知られている（例えば、特許文献１参照）。
【０００３】
このものでは、下方に開口する凹部を前面に設け、その凹部内に操作ボタン類を配設し、この操作ボタン類を隠す蓋板を、凹部の下部の両内側面から内側に突出する円柱状のボスに対して上下方向に揺動自在に係合させている。
【先行技術文献】
【特許文献】
【０００４】
【特許文献１】特開２００２−１６２１０６号公報（図３）
【発明の概要】
【発明が解決しようとする課題】
【０００５】
蓋板は磁石の磁力などによって閉鎖状態を維持するように構成されており、蓋板を開ける際には蓋板の上部を指で手前に少し引き、その後は蓋板の自重によって手前から下方にほぼ１８０度揺動させる。すると蓋板は開ききった状態で前後に少しの振幅ではあるが数回揺動することがある。その揺動の際、本体側のボスと蓋板との間で擦れが生じ、擦れ音が発生する。
【０００６】
蓋板を開く度に擦れ音が発生すると、リモコン装置の高級感が損なわれるという不具合が生じる。
【０００７】
そこで本発明は、上記の問題点に鑑み、蓋板が揺動しても擦れ音が発生しないリモコン装置を提供することを課題とする。
【課題を解決するための手段】
【０００８】
上記課題を解決するために本発明によるリモコン装置は、下方に開口する凹部を前面に設け、その凹部内に操作ボタン類を配設し、この操作ボタン類を隠す蓋板を、後部の下部の両内側面から内側に突出する円柱状のボスに対して上下方向に揺動自在に係合させたリモコン装置において、上記ボスに係合する円筒状の係合穴を上記蓋板に形成すると共に、係合穴の内周面に凸部を形成し、上記ボスの表面に対して凸部を接触させることにより、蓋板が開いた状態でボスに吊り下がった状態で前後に揺動した際に、ボスに対する係合部分で擦れ音が発生しないようにしたことを特徴とする。
【０００９】
従来はボスに係合する部分は円筒状の係合穴であった。このため、ボスの外周面と係合穴の内周面とが広い範囲で擦れ、そのため擦れ音が発生していた。上記構成では係合穴の内周面に凸部を形成し、上記ボスの外周面に対して凸部を接触させるので接触面積が狭くなり、擦れ音の発生が抑制される。
【発明の効果】
【００１０】
以上の説明から明らかなように、本発明は、蓋板を下方に揺動させて凹部を開放した際、蓋板が下方で揺動しても擦れ音が発生しないので、リモコン装置の高級感が擦れ音によって損なわれることがない。
【図面の簡単な説明】
【００１１】
【図１】リモコン装置の正面図
【図２】リモコン装置の前カバーと蓋板との形状を示す図
【図３】係合穴の形状を示す切断面図
【発明を実施するための形態】
【００１２】
図１を参照して、１は本発明によるリモコン装置の一例である。本実施の形態では、このリモコン装置１は屋外に設置された給湯装置（図示せず）を浴室内から操作するためのもので有り、従って、浴室の壁面に固定されるものである。
【００１３】
給湯装置の制御を行うのに必要な操作ボタンのうち、使用頻度の高い操作ボタン１２を前面に露出させて配置した。一方、これらの操作ボタン１２より使用頻度の低い操作ボタンは蓋板２で隠すようにした。なお、１１は表示部である。
【００１４】
図２を参照して、上記リモコン装置１の前カバー３の中央下部に下方に開口する凹部が形成される窓３１を形成し、その窓３１の下部両内側面に１対の円柱状のボス３２を形成した。そして、上記蓋板２をこのボス３２に揺動自在に係合させるようにした。そのために、蓋板２の両側に円円筒状の係合穴２１を形成し、この係合穴２１内にボス３２が挿入されることによって蓋板２を係合するように構成した。
【００１５】
図３を参照して、上記係合穴２１の内周面に、本実施の形態では５個の凸部２２を形成し、ボス３２の外周面にはこれら凸部２２の先端が接触するようにした。なお、これら凸部２２は係合穴２１の中心線に沿って長手の畝状に形成しているが、中心線方向の長さを短くして山状の突起にしてもよい。
【００１６】
いずれにせよ、ボス３２の外周面と接触する面積が凸部２２の先端に限られるため、凸部２２を形成せず円円筒状の係合穴２１の内周面に直接接触させる場合より接触面積が狭くなり、蓋板２がボス３２に吊り下がった状態で前後に揺動しても擦れ音が発生しない。
【００１７】
なお、本発明は上記した形態に限定されるものではなく、本発明の要旨を逸脱しない範囲内において種々の変更を加えてもかまわない。
【符号の説明】
【００１８】
１  リモコン装置
２  蓋板
３  前カバー
１２  操作ボタン
２１  係合穴
２２  凸部
３１  窓
３２  ボス
【図１】
2014050075.tif 000003
【図２】
2014050075.tif 000004
【図３】
2014050075.tif 000005
(57)【要約】      （修正有）【課題】廃棄の難しい汚泥の廃棄量を減少させる方法を提供する。【解決手段】エアーをらせん状に噴出するエアレーション機構を設けた沈殿槽１に、活性汚泥槽の沈殿汚泥を導入し、前記沈殿槽１内に前記らせん状エアレーション機構からエアーを吹き込むことによるらせん状エアレーション方法によって、前記沈殿汚泥を強制的により大きなブロックを形成させ強制沈殿させ、前記沈殿槽１に設けた電磁バルブとタイマーの組み合わせにより、前記強制沈殿させたより大きくなった汚泥を引き抜く。【選択図】図１
2014050827.tif 000002
【特許請求の範囲】
【請求項１】
活性汚泥槽内の沈澱槽から凝集剤を使用する前の汚泥を別槽に抜き出し、本発明の方法で更に固形物の量を増加させる方法
【請求項２】
沈澱物の抜き取る前の上澄み水を活性汚泥槽の原水槽に返送する方法
【請求項３】
本システムで抜き出した汚泥を直接バイオマス装置や蒸発機との組み合わせにより、更なる減量化を図る方法
【発明の詳細な説明】
【技術分野】
【発明の概要】
【０００１】本発明は浮遊する固形物をエアーレーション方法によって強制的にブロック化し沈降させる。沈降され濃縮された汚泥をバイオマス原料として再利用若しくは工場廃熱を利用し、水分を蒸発させ廃棄汚泥量を減量させる。
【０００２】本発明は活性汚泥槽から汚泥を含む廃水を気液接触時間の長く取れるエアーレーション方法によって固形物のブロックをより大きくし、沈降速度を上げるシステム。
【０００３】本発明は活性汚泥槽が大型の場合はこのシステムを複数設置すると同時に１日に数回、繰り返す事により、大型の活性汚泥槽にも対抗が可能である。
【発明が解決しようとする課題】
【０００４】活性汚泥槽で使用される凝集沈澱剤の使用量を減少させる。【０００５】汚泥ケーキ発生量を減少させる。
【課題を解決する為の手段】
【０００６】固形物のブロック化を急速に行う為、投入するエアーをらせん状に流入させ、ブロック同士を短時間で大きくする。
【０００７】活性汚泥槽の負担を軽減する為、上澄み廃水を原水槽に返送する。
【０００８】汚泥をバイオマス原料等に転用し、廃棄汚泥量の減少を図る。
【発明を実施する為の形態】
【０００９】活性汚泥槽内に沈殿槽、送風機、水中ポンプなどを別に付属させ、エアーレーション機能を有した沈降槽及び受槽兼送水ポンプ槽から構成されるシステム
【発明の効果】
【００１０】凝集剤使用の必要性が無くなるか、又は極端に少なくする事が可能になり、コストの削減に寄与する。又、脱水機をより小型にする事が可能である。
【図面の簡単な説明】
【００１１】
【図１】凝集沈降槽の内部にエアーをらせん状に噴出するエアーレーション機構を設け、強制沈殿させ、電磁バルブとタイマーの組み合わせにより汚泥を抜き出し活性汚泥槽の負荷を軽減させるシステムのフローシートである。
【符号の説明】
【００１２】（１）  沈降槽
（２）  受槽兼送水ポンプ槽
（３）  水中ポンプ  Ｐ−１
（４）  水中ポンプ  Ｐ−２
（５）  送風機
（６）  電磁バルブ  Ｖ−１
（７）  電磁バルブ  Ｖ−２
【図１】
2014050827.tif 000003
(57)【要約】【課題】本発明は、コンパクトであって、小さい押下力に比較して大きな穿孔能力を持つ２穴パンチ具を実現することを課題とする。【解決手段】ハンドルの支点の位置が同サイズの基台を有する２穴パンチよりも高い位置にあり、ハンドルの押下完了時においてハンドルの支点とハンドルの先端を結ぶ直線と水平面とがなす角度が、ハンドルの押下開始時においてハンドルの支点とハンドルの先端を結ぶ直線と水平面とがなす角度にほぼ等しく、ハンドルの可動範囲が広い構成とした。【選択図】図１
2014050933.tif 000002
【特許請求の範囲】
【請求項１】
ハンドルの支点の位置が同サイズの基台を有する２穴パンチよりも高い位置にあり、ハンドルの押下完了時においてハンドルの支点とハンドルの先端を結ぶ直線と水平面とがなす角度が、ハンドルの押下開始時においてハンドルの支点とハンドルの先端を結ぶ直線と水平面とがなす角度にほぼ等しく、ハンドルの可動範囲が広い２穴パンチ具。
【請求項２】
ハンドルの押下開始時にはハンドルの先端に続く部分３ａが水平に近く、ハンドルの押下完了時には前記部分に続くより支点に近い部分３ｂが水平に近くなるような形状のハンドルを有し、押下開始時には主として３ａに力を加え、次いで、３ａと３ｂに力を加え、押下完了時には主として３ｂに力を加えることを特徴とする請求項１の２穴パンチ具。
【発明の詳細な説明】
【技術分野】
【０００１】
この発明は、コンパクトであって、小さい押下力に比較して大きな穿孔能力を持つ２穴パンチ具に関する。
【背景技術】
【０００２】
従来の小型の２穴パンチ具は、同じ押下力に対して大きな穿孔能力を持たせるためには、ハンドルの回転角度はほとんど変えることはしないで、支点とハンドルの先端の距離を長くすることによって、押下部の移動距離を長くしている。このため、結果として２穴パンチ具を大型化している。
【発明の概要】
【発明が解決しようとする課題】
【０００３】
この発明は、コンパクトであって、小さい押下力に比較して大きな穿孔能力を持つ２穴パンチ具を実現することを課題とする。
【課題を解決するための手段】
【０００４】
本発明（請求項１）の２穴パンチ具は、ハンドルの支点の位置が同サイズの基台を有する２穴パンチ具よりも高い位置にあり、ハンドルの押下完了時においてハンドルの支点とハンドルの先端を結ぶ直線と水平面とがなす角度が、ハンドルの押下開始時においてハンドルの支点とハンドルの先端を結ぶ直線と水平面とがなす角度にほぼ等しく、ハンドルの可動範囲が広いことを特徴とする。
【０００５】
本発明（請求項２）の２穴パンチ具は、ハンドルの支点の位置が同サイズの基台を有する２穴パンチ具よりも高い位置にあり、ハンドルの押下完了時においてハンドルの支点とハンドルの先端を結ぶ直線と水平面とがなす角度が、ハンドルの押下開始時においてハンドルの支点とハンドルの先端を結ぶ直線と水平面とがなす角度にほぼ等しく、ハンドルの可動範囲が広い２穴パンチ具であって、ハンドルの押下開始時にはハンドルの先端に続く部分３ａが水平に近く、ハンドルの押下完了時には前記部分に続くより支点に近い部分３ｂが水平に近くなるような形状のハンドルを有し、押下開始時には主として３ａに力を加え、次いで、３ａと３ｂに力を加え、押下完了時には主として３ｂに力を加えることを特徴とする。
【発明の効果】
【０００６】
従来の小型の２穴パンチ具は、ハンドルの押下完了時にハンドルの支点とハンドルの先端を結ぶ直線は水平に近く、水平よりも下方まで回転するものでも、ハンドルの支点とハンドルの先端を結ぶ直線が水平面となす角度は、押下開始時にハンドルの支点とハンドルの先端を結ぶ直線が水平面となす角度よりは小さい。
【０００７】
本発明の２穴パンチ具は、ハンドルの回転角度を広げてハンドルの先端の移動距離が長くなっており、押下力が同じであれば、同じ大きさのハンドルを有し、ハンドルの回転角度が従来のものである２穴パンチ具より大きな穿孔能力を持っている。
【０００８】
ハンドルの回転角度を下方に広げた場合、ハンドルの押下面が１つの平面で構成されていれば、ハンドルの押下完了時にハンドルが下方に急傾斜となり、ハンドルを押す手が滑りやすくなることが考えられるが、本発明（請求項２）の２穴パンチ具は、ハンドルの押下面を角度をつけた二つの平面で構成しており、ハンドルの押下開始から押下完了までの間に手で力を加える部分が移動し、常に概ね水平に近い面を押下することになり、手が滑りにくい。
【図面の簡単な説明】
【０００９】
【図１】本発明の２穴パンチ具の実施例の斜視図である。
【図２】本発明の２穴パンチ具の実施例のハンドルの押下開始時の側面透視図である。
【図３】本発明の２穴パンチ具の実施例のハンドルの押下完了時の側面透視図である。
【発明を実施するための形態】
【００１０】
以下、本発明の実施の形態を図１、図２、図３に基づいて説明する。
【００１１】
本発明の２穴パンチ具は、支点ピンの位置を同サイズのハンドル及び基台を有する２穴パンチよりも高く、ハンドルの押下完了時においてハンドルの支点とハンドルの先端を結ぶ直線と水平面とがなす角度が、ハンドルの押下開始時においてハンドルの支点とハンドルの先端を結ぶ直線と水平面とがなす角度にほぼ等しくなるような高さとする。
【００１２】
ハンドルの回転角度が大きいため、ハンドルの長さが同じであれば先端押下部３ａの移動距離は従来の２穴パンチ具のそれよりも長くなる。ここで、穿孔刃の移動距離が同じであれば、押下部の移動距離が長い本発明の２穴パンチ具の方が小さい力で同じ穿孔能力を発揮できる。
【００１３】
押下開始時には主として先端押下部３ａに力を加えるが、先端押下部３ａは押下開始時にはハンドルの先端の側が水平より少し高い位置にあるが、押下を続けると先端押下部３ａは水平になり、さらに押下を続けるとハンドルの先端の側が水平より低くなるが、中央寄り押下部３ｂが水平に近くなり、この時点では先端押下部３ａと中央寄り押下部３ｂに力を加えることになる。さらに押下を続けると、中央寄り押下部３ｂは水平になり、この時点では主として中央寄り押下部３ｂに力を加えることになる。さらに押下を続けて押下完了時には中央寄り押下部３ｂはハンドルの先端に近い側が水平より少し低い位置にあるがその傾斜は緩く手が滑るほどのものではない。
【００１４】
中央寄り押下部３ｂを押下するときには、ハンドルの支点と押下部との距離が短くなり、穿孔刃に加わる力が少なくなるが、中央寄り押下部３ｂを押下する時点では書類の穿孔で最大の力を必要とする時点はすでに過ぎており、実用上問題はない。
【符号の説明】
【００１５】
１    基台
２    作動部固定部
３    ハンドル
３ａ  先端押下部
３ｂ  中央寄り押下部
４    支点ピン
５    押しピン
６    穿孔刃
７    穿孔刃ガイド
８    バネ
９    穿孔孔
１０  パンチ屑溜めカバー
【図１】
2014050933.tif 000003
【図２】
2014050933.tif 000004
【図３】
2014050933.tif 000005
(57)【要約】【課題】誘導電動機は、運転時に主にトルクを生じる主磁束のほかに、スロットが存在することにより生じるスロット高調波磁束や、インバータ駆動の場合にはインバータのキャリア周波数に起因して生じるキャリア高調波磁束が存在し、回転子鉄心をスロット高調波磁束やキャリア高調波磁束が通ることで、回転子鉄心で高調波による損失が発生するほか、二次導体を流れる二次電流にも高調波成分が重畳し銅損を増加させるため、電動機の効率の低下や電動機の温度上昇の原因となる。【解決手段】各ティースの先端に環状の導体を設けることで、遮蔽効果により、主磁束よりも周波数の高いスロット高調波磁束やキャリア高調波磁束の成分を打ち消す磁束を発生させる電流が環状の導体を通り、回転子鉄心内部を通るスロット高調波磁束やキャリア高調波磁束を減少させ、スロット高調波やキャリア高調波磁束により生じる損失を低減させることを特徴とする請求項１記載の誘導電動機。【選択図】図１
2014050142.tif 000002
【特許請求の範囲】
【請求項１】
固定子と回転子で構成され、前記固定子には一次導体があり、前記回転子には二次導体がある誘導電動機の回転子において、前記回転子の二次導体とは別に前記回転子の各ティースの先端に環状の導体を設けたことを特徴とする誘導電動機の回転子。
【請求項２】
請求項1記載の誘導電動機の回転子において、上記環状の導体が二次導体の納まるスロットの外径側に設けられたことを特徴とする誘導電動機の回転子。
【発明の詳細な説明】
【技術分野】
【０００１】
本発明は、誘導電動機の回転子に関するものである。
【背景技術】
【０００２】
誘導電動機は、産業用や家電用の駆動機器として古くから使用されている。また、半導体素子の発達や可変速運転技術の進歩により、誘導電動機がインバータで駆動されるようになり、可変速用途の機器でも使用されている。
【０００３】
誘導電動機の固定子と回転子には導体が収まるスロットが設けられ、固定子スロットには一次導体が、回転子スロットには二次導体が設けられている。誘導電動機を運転すると、主磁束の他にスロットが存在することにより生じるスロット高調波磁束が電動機内の鉄心を鎖交する。誘導電動機の回転子にはすべり周波数で回転する主磁束が存在するが、スロットの先端部では回転子が1回転する間に、固定子スロット数と等しい磁束の脈動が生じる。スロット高調波磁束により鉄心では鉄損が発生する。
【０００４】
インバータを用いて誘導電動機を可変速制御すると、インバータから出力される電圧・電流はインバータのキャリア周波数成分が含まれており、誘導電動機の主磁束にインバータのキャリア周波数成分が高調波として重畳する。このキャリア高調波磁束は主磁束に重畳していることから、回転子鉄心の内部を通り抜け、鉄心では鉄損が発生する。
【０００５】
回転子鉄心を通り抜ける磁束は、二次電流の発生に寄与するため、高調波を含む磁束が鉄心を通ると、二次電流にも高調波成分が重畳し、二次導体で生じる銅損が増加する。
【先行技術文献】
【特許文献】
【０００６】
【特許文献１】特開平１０−１７８７５５号公報
【特許文献２】特開平９−１８２３９６号公報
【非特許文献】
【０００７】
【非特許文献１】インバータ駆動誘導電動機の国際規格整合化調査専門委員会、「電                気学会技術報告  第１２３０号」、電気学会、２０１１年、ｐ．１                ０
【発明の概要】
【発明が解決しようとする課題】
【０００８】
誘導電動機は、運転時に主にトルクを生じる主磁束のほかに、スロットが存在することにより生じるスロット高調波磁束や、インバータ駆動の場合にはインバータのキャリア周波数に起因して生じるキャリア高調波磁束が存在し、回転子鉄心をスロット高調波磁束やキャリア高調波磁束が通ることで、回転子鉄心や二次導体で損失が発生し、効率の低下や電動機の温度上昇の原因となる。
【課題を解決するための手段】
【０００９】
各ティースの先端に環状の導体を設け、主磁束よりも周波数の高いスロット高調波磁束やキャリア高調波磁束の成分を遮蔽効果により打ち消す磁束を発生させる電流が流れる経路を設けることを特徴とする。
【００１０】
請求項１の発明では、固定子と回転子で構成され、前記固定子には一次導体があり、前記回転子には二次導体がある誘導電動機の回転子において、前記回転子の二次導体とは別に前記回転子の各ティースの先端に環状の導体を設けたことを特徴とする誘導電動機の回転子とした。
【００１１】
請求項２の発明では、請求項1記載の誘導電動機の回転子において、上記環状の導体が二次導体の納まるスロットの外径側に設けられたことを特徴とする誘導電動機の回転子とした。
【発明の効果】
【００１２】
各ティースの先端に環状の導体を設けることで、遮蔽効果により、回転子鉄心内部を通るスロット高調波磁束やキャリア高調波磁束を減少させることができ、スロット高調波やキャリア高調波磁束により生じる損失を低減させる。
【図面の簡単な説明】
【００１３】
【図１】ティース先端に環状の導体を設けた回転子の説明図である。（実施例１）
【図２】環状の導体を二次導体の収まるスロットの外径側に設けた回転子の説明図で        ある。（実施例２）
【発明を実施するための形態】
【００１４】
以下に図面を参照して、本発明の好適な実施の形態を詳細に説明する。
【実施例１】
【００１５】
図１はティース先端に導体を設けた回転子の図である。各ティースの先端を囲うように設けられた環状の導体は、主磁束よりも周波数の高いスロット高調波磁束やキャリア高調波磁束の成分を遮蔽効果により打ち消す磁束を発生させる電流が流れる経路となる。即ち環状の導体が回転子の鉄心の内部へ鎖交する高調波磁束を遮蔽することになる。ティースや回転子鉄心の内部には高調波磁束が侵入しないため、高調波磁束により生じる損失を低減することが出来る。
【実施例２】
【００１６】
図２は環状の導体を二次導体の収まるスロットの外径側に設けた図である。回転子は高速で回転するため環状の導体は遠心力に耐えられる固定方法とする必要があるため、図２のように二次導体と同じスロットに収めることで、環状の導体の固定が容易となる。
【符号の説明】
【００１７】
１          回転子鉄心
２          二次導体
３ａ，３ｂ  環状の導体
【図１】
2014050142.tif 000003
【図２】
2014050142.tif 000004
(57)【要約】【課題】強力な磁石を利用する一方で、資料等の固定が柔軟にでき、用済後の取り外しが容易となる、資料固定用のマグネットが欲しい。【解決手段】繭玉を磁石の容器として利用することによって、強い磁石（固定する力）と、柔らかな固着や取り外しやすさを、両立させることができる。【選択図】図１
2014177110.tif 000002
【特許請求の範囲】
【請求項１】
磁石を収納するための容器に繭玉を用いることを特徴とする、資料等の固定用マグネット。
【発明の詳細な説明】
【技術分野】
【０００１】メモ紙や写真等の資料をホワイトボードや冷蔵庫の扉、ロッカーの壁面等に固着させることが必要な場合がある。またクリップ等の散逸を防ぐために固定させる必要がある。
【背景技術】
【０００２】これまでは、資料等を固着させる方法としては、着脱が容易に行えるものとして、永久磁石（マグネット）の利用が代表的である。
【発明の概要】
【発明が解決しようとする課題】
【０００３】資料等をマグネットで固定する場合、磁力は強い方が望ましい。他方、用済後に資料を取り外す場合、強力な磁力は取り外しには不便となる。この相反する事象を両立させたい。【０００４】近年、磁石の磁力の向上には目ざましいものがある。中でもネオジューム磁石の登場等は、画期的なものとされる。これにより、マグネットの固定する力は満足できる状況が実現した。しかしながら、磁力向上による課題も生じることになった。即ち、固着したマグネットの取り外し作業が難しくなったのである。この磁力向上と取り外しの容易さという、正反対の作用を満足させる工夫が望まれるのである。
【課題を解決するための手段】
【０００５】課題に対する請求項１の発明は、天然の繭玉を磁石（マグネット）の容器として用いることである。【０００６】繭を利用する理由は、繭玉（殻）が強靭で、格好の空洞を備えているからである。しかも繭の殻の壁（絹）は極薄で、繭玉１粒の重量は０．５ｇと極めて軽い、繭の胴の長さは４０ｍｍ前後、胴の径は約２０ｍｍである。
【発明の効果】
【０００７】本発明になる効果の第一は、蛹の殻である繭の壁面が極めて薄いので、ホワイトボード等の対象に固着させるとき、マグネットの磁力が低下しないことである。【０００８】発明の効果の第二は、用済後に磁石を、ボード等から取り外し易いことである。この効果はマグネットに比べ繭の容積が大きいことによる、即ち梃子の理にかなうからである。【０００９】発明の効果の第三は、マグネットの固着が対象面（ホワイトボード等）に軟着することである。たとえ磁力が過大としても、繭（絹）の壁が、柔軟な隔壁となり、固着対象面を傷つけたり、固着に伴って起こる気障りな音もたてたりもしない。
【図面の簡単な説明】
【００１０】
【図１】図１は、繭玉と切開部分を破線で示す。
【図２】図２は、繭玉に変形を施した例を示す。２個の繭玉をカットし接着してつくるマグネットの収納容器である。
【発明を実施するための形態】
【００１１】繭玉は小粒の方がよい。繭玉は図１の如く切開し、蛹を取り出した上、磁石を封入後、繭の切開部を糊づけする。製品の形状は繭玉の原形でもよいが、図２に示すように、繭玉を好みでカットし、接着し変形して利用することもできる。
【００１２】磁石はネオジューム磁石が望ましい。本発明で実用性の確認に用いた磁石は、１個の磁力が２，０００ガウス、寸法は直径１３ｍｍ、厚みは３ｍｍである。磁石は用途によって個数を増やして繭玉に封入し用いる。
【符号の説明】
【００１３】１      １は、繭玉である。
２      ２は、蛹を取り除くための切開部を破線で示す。
３      ３は、２個の繭玉を接着する部分を破線で示す。
【図１】
2014177110.tif 000003
【図２】
2014177110.tif 000004
(57)【要約】【課題】  接合時に配管を加熱しないようにする。【解決手段】  液体を流すパイプ２０と、パイプ２０を挟み込み前記液体を流す流路１０ｄを分岐して複数のパイプ２０に液体を流す接合部１０とを備え、パイプ２０は、接合部１０と接続する側の端部に成形した鍔２０ａを設け、接合部１０は、上面１０ａと下面１０ｂと四角形からなる複数の側面１０ｃを有し側面１０ｃから上面１０ａと下面１０ｂとに二分割する立体形状を成し、上面１０ａと下面１０ｂの内面側には、液体を流し分岐する流路１０ｄにパイプ２０の鍔２０ａを固定する溝部１０ｅとを設け、接合部１０の全体をゴム７でインサート成型したものである。【選択図】  図２
2014177997.tif 000002
【特許請求の範囲】
【請求項１】
液体を流すパイプと、
該パイプを挟み込み前記液体を流す流路を分岐して複数の前記パイプに液体を流す接合部と、を備え、
前記パイプは、前記接合部と接続する側の端部に成形した鍔を設け、
前記接合部は、上面と下面と四角形からなる複数の側面を有し該側面から前記上面と前記下面とに二分割する立体形状を成し、前記上面と前記下面の内面側には、液体を流し分岐する前記流路に前記パイプの前記鍔を固定する溝部を設け、前記接合部の全体をゴムでインサート成型したことを特徴とするパイプ配管。
【発明の詳細な説明】
【技術分野】
【０００１】
本発明は、電気温水器等の主に水を各部品に配水するための金属製のパイプ配管に関し、特に途中に水路の分岐を有する配管に関するものである。
【背景技術】
【０００２】
電気温水器は、タンクに貯水した冷水を温水に加熱し給湯する装置で、各所に給水するために種々の形状の金属製パイプ配管が使用されている。
【０００３】
その中には水路が２方向３方向に分岐する配管があり、特許文献１に示すように、配管（パイプ）の途中に穴を設け、この穴に垂直に配するよう分岐配管を溶接接合した分岐継手構造がしたものがある。
【先行技術文献】
【特許文献】
【０００４】
【特許文献１】特開２００７−１００９２０号公報
【発明の概要】
【発明が解決しようとする課題】
【０００５】
従来の特許文献１に示す方法では、配管（パイプ）を溶接する際に加熱されることで耐食性の劣る酸化スケールが発生し、この酸化スケールを除去する必要があった。
【課題を解決するための手段】
【０００６】
上記課題を解決するため、本発明は、液体を流すパイプと、該パイプを挟み込み前記液体を流す流路を分岐して複数の前記パイプに液体を流す接合部とを備え、前記パイプは、前記接合部と接続する側の端部に成形した鍔を設け、前記接合部は、上面と下面と四角形からなる複数の側面を有し該側面から前記上面と前記下面とに二分割する立体形状を成し、前記上面と前記下面の内面側には、液体を流し分岐する前記流路に前記パイプの前記鍔を固定する溝部とを設け、前記接合部の全体をゴムでインサート成型したこととしたものである。
【発明の効果】
【０００７】
本発明によれば、パイプを加熱する必要が無いので酸化スケールの発生が無く、酸化スケールの除去作業を省くことができる。
【図面の簡単な説明】
【０００８】
【図１】パイプ配管の接合部の外装部を透視した説明図である。
【図２】パイプ配管の接合部の構成を示した説明図である。
【発明を実施するための形態】
【０００９】
本発明の一実施例を、パイプ配管の外装部を透視した図１、パイプ配管の接合部の構成を示した図２に従って説明する。
【００１０】
図１において、２０（１、２、３）は金属製のパイプで、水やお湯などの液体を流すものである。パイプ２０は、後述する接合部１０と反対側の一端部である端部２０ｂ（１ｂ、２ｂ、３ｂ）は、そこに接続される機器などに応じて必要形状に成形され、接合部１０と接続する他端部は、パイプ外径よりも外形が大径となる円盤形状の鍔２０ａ（１ａ、２ａ、３ａ）に成形する。パイプの曲げ加工は同様に必要に応じて成形する。
【００１１】
１０は接合部で、液体の流れを分岐して複数のパイプ２０を接続するものである。接合部１０の外形は、上面１０ａと下面１０ｂと四角形からなる複数の側面１０ｃを有する立体形状を成し、本実施例では４面の側面１０ｃを有する直方体の形状を成し、上面１０ａと下面１０ｂは側面１０ｃ部で上下に二分割できる構成としている。そして、二分割される上面１０ａと下面１０ｂでパイプ２０を挟み勘合する。二分割される上面１０ａと下面１０ｂの内面側にはパイプ２０とパイプ２０間に繋がる分岐した流路１０ｄが設けられている。ここでは、３本のパイプ２０に液体を流すために流路１０ｄはＴ字形状に設けられている。また、流路１０ｄには、パイプ２０を接合部１０に勘合するために、パイプ２０に設けた鍔２０ａを固定する溝部１０ｅを設けている。この鍔２０ａと溝部１０ｅによって接続と水密を保つ構成としている。
【００１２】
図示するように、接合部１０は、側面１０ｃが４面ある立体形状なので、接合部１０では４本までのパイプ２０を接続可能である。また、接続するパイプ２０が３本の場合は、側面１０ｃを３面持った立体形状でも良い。接合部１０が大きくなるが、側面１０ｃの一面に二本のパイプ２０を接続することも可能である。
【００１３】
また、図２に示すように、上面１０ａと下面１０ｂは、ねじ６を用い勘合固定し、全体をゴム７でインサート成形して接合部１０を構成する。そうすることでパイプ２０との勘合部と、接合部１０の上面１０ａと下面１０ｂ間の水密性を確保している。
【００１４】
このようにして接合部１０を構成することで、パイプ２０の内部に水圧がかかった場合、パイプ２０の鍔２０ａが溝部１０ｅに勘合固定されることでパイプ２０が接合部１０から抜けることが無く、インサート成形されたゴム７には過大な密着力や固定力は必要ない。さらに、ゴム７に水圧が加わる面積は微小になる構造であるため、ゴム７に過大な強度は要求されない。
【００１５】
上記のように本実施例では成形樹脂部品とパイプ、ゴムモールドで構成されることから、鋭敏化を呈する高温となることなく且つ簡単な作業で分岐構造の配管が得られるという利点があり、耐食性が高く安定した品質を容易に得られるという効果がある。
【符号の説明】
【００１６】
７  ゴム、１０  接合部、１０ｅ  溝部、２０  配管パイプ、２０ａ  鍔
【図１】
2014177997.tif 000003
【図２】
2014177997.tif 000004